(57)【要約】      （修正有）【課題】不正精算を防止するばかりでなく、精算時の待ち時間を短縮することができるレジ精算装置を提供する。【解決手段】レジ清算装置２は、従業員６の操作により商品の値段を読み取る読取機５で計算した合計金額を客３が入金する清算機７，８を備える。また、読取機５に隣接して複数台の清算機７，８を並設した。【選択図】図１
0003178328.tif 000002
【実用新案登録請求の範囲】
【請求項１】
従業員の操作により商品の値段を読み取る読取機によって計算された合計金額を客が入金する清算機を備え、この読取機に隣接して複数台の清算機を並設したことを特徴とするレジ清算装置。
【請求項２】
前記複数台の清算機は客が通る通路に沿って並設されていることを特徴とする請求項１に記載のレジ清算システム。
【請求項３】
前記清算機は前記読取機に隣接して二台並設されていることを特徴とする請求項１または請求項２に記載のレジ清算装置。
【考案の詳細な説明】
【技術分野】
【０００１】
本考案は、スーパーマーケットなどにおいて、従業員の操作により商品の値段を読み取る読取機によって計算された合計金額を客が入金する清算機を備えたレジ清算装置に関するものである。
【背景技術】
【０００２】
従来、複数台のレジ清算装置を並設したレジ清算システムでは、レジ清算装置ごとに従業員が商品の値段を読み取らせるとともに合計金額を客との間で清算していたので、清算に時間を要していた。
【０００３】
清算時間を短縮するために、従業員が読取機により商品の値段の読取りのみを行って客が清算機に合計金額を入金するレジ清算システムの一例では、読取機から打ち出された清算シ−トを受け取った客が、読取機から離れた場所に設置された複数台の清算機のうち選択したいずれかにその清算シ−トを読み取らせて合計金額を表示させ、その合計金額を入金していた。しかし、客がその清算機まで移動しなければならないばかりでなく、読取機と清算機との間のスペースを悪用して未入金のまま清算機から離れる不正が行われるおそれさえあった。
【０００４】
また、例えば下記の特許文献１では、清算機が読取機の付近で並設されているため、従業員が清算機に対する入金の有無を監視することができ、そのような不正を防止することができる。
【先行技術文献】
【特許文献】
【０００５】
【特許文献１】特開平８−６３６７２号公報
【考案の概要】
【考案が解決しようとする課題】
【０００６】
しかし、上記の特許文献１では、一台の清算機のみが読取機の付近で並設されているだけであるため、一台の清算機で先行の客が清算を手間取っている場合には、清算シ−トを受け取った後行の客を待たせるおそれがあった。
【０００７】
この考案は、不正清算を防止するばかりでなく、清算時の待ち時間を短縮することができるレジ清算装置を提供することを目的としている。
【課題を解決するための手段】
【０００８】
後記実施形態の図面（図１）の符号を援用して本考案を説明する。
請求項１の考案にかかるレジ清算装置（２）においては、従業員（６）の操作により商品の値段を読み取る読取機（５）によって計算された合計金額を客が入金する清算機（７，８）を備え、この読取機（５）に隣接して複数台の清算機（７，８）を並設した。
【０００９】
請求項１の考案では、読取機（５）に設置した複数台の清算機（７，８）のうち一方の清算機（７または８）を使用中でも他方の清算機（８または７）を使用することができるため、清算時の待ち時間を短縮することができる。
【００１０】
請求項１の考案を前提とする請求項２の考案において、前記複数台の清算機（７，８）は客（３）が通る通路（４）に沿って並設されている。請求項２の考案では、客（３）に対する清算処理を客（３）が通る方向に沿って順次円滑に行うことができる。
【００１１】
請求項１または請求項２の考案を前提とする請求項３の考案において、前記清算機（７，８）は前記読取機（５）に隣接して二台並設されている。請求項３の考案では、客（３）に対する清算処理を円滑に行うことができる範囲で清算機（７，８）の台数を制限することができる。
【考案の効果】
【００１２】
本考案にかかるレジ清算装置（２）は、スーパーマーケットなどにおけるレジ清算の際に、不正清算を防止するばかりでなく、清算時の待ち時間を短縮することができる。
【図面の簡単な説明】
【００１３】
【図１】レジ清算装置を有するレジ清算システムを概略的に示す平面図である。
【考案を実施するための形態】
【００１４】
以下、本考案の一実施形態について図１を参照して説明する。
図１に示すレジ清算システム１において、複数台のレジ清算装置２からなる清算ラインＬは、客３が通る通路４を介して複数列配設されている。それぞれのレジ清算装置２においては、通路４の入口４ａ側からの出口４ｂ側にわたり、従業員６のみにより操作される一台の読取機５と、通常は客３により操作される二台の清算機７，８とが、入口４ａ側と出口４ｂ側とを結ぶ通路方向Ｘに沿って互いに隣接して並設されている。
【００１５】
客３は購入した商品の清算をレジ清算システム１により次のようにして行う。
読取機５において、通路４を通る客３により購入された商品のバーコードが従業員６の操作により順次読み取られると、バーコードの読取りとともに順次表示された各商品を客３が値段とともに確認することができる。読取機５により読み取られた商品の値段の合計金額は、清算シ−トとして読取機５から打ち出される。客３はその清算シ−トを従業員６から受け取る。その清算シ−トを打ち出した特定の読取機５ごとに隣接して並べた二台の清算機７，８のうち使用していないものに、その清算シ−トを受け取った客３が、その清算シ−トを読み取らせると、商品の値段の合計金額が表示される。客３がその合計金額を入金すると、確認画面が表示され、おつりがある場合にはその金額も表示される。客３がその確認画面にタッチすると、おつりが出て清算操作が終了する。その後、客３は購入した商品をサッカー台に運んで買い物袋などに収容する。
【００１６】
この実施形態は下記の効果を有する。
（１）  読取機５と二台の清算機７，８とからなるレジ清算装置２の清算ラインＬを複数列配設したレジ清算システム１において、レジ清算装置２は、読取機５に設置した二台の清算機７，８のうち一方を使用中でも他方を使用することができるため、清算時の待ち時間を短縮することができ、客３に対する清算処理を通路４に沿って円滑に行うことができる。
【００１７】
（２）  清算機７，８が読取機５の付近で並設されているため、従業員６が清算機７，８に対する入金の有無を監視することができ、不正清算を防止することができる。
前記実施形態以外にも例えば下記のように構成してもよい。
【００１８】
・  図示しないが、商品の値段を読み取った読取機５からの信号に基づき、選択手段は、二台の清算機７，８のうち、一方のみを使用している場合には使用していない他方のものを判別し、両方を使用している場合には使用を終えたものを判別し、両方を使用していない場合には出口４ｂ側にある清算機８を判別して、その使用していない特定の清算機７または８に合計金額を表示させ、その特定の清算機７または８を客３に認識させる手段として、例えば判別した清算機７または８における表示灯を点滅させる。客３は点滅している清算機７または８に対し合計金額を入金する。従って、従業員６が操作することによって商品の値段を読取機５により読み取った後は、合計金額を表示させた特定の清算機７または８に客３がその合計金額を入金するだけでよい。
【００１９】
・  清算機を読取機５に隣接して三台以上並設することができる。
・  入口４ａ側と出口４ｂ側とを結ぶ通路方向Ｘに沿って二台の清算機７，８を並設するばかりではなく、通路方向Ｘに対し直交する方向に沿って複数台の清算機を並設したり、通路方向Ｘとその通路方向Ｘに対し直交する方向とに共に複数台の清算機を並設したりして、読取機５ごとに複数台の清算機７，８を設置することができる。
【符号の説明】
【００２０】
２…レジ清算装置、３…客、４…通路、５…読取機、６…従業員、７，８…清算機。
【図１】
0003178328.tif 000003
【手続補正書】
【提出日】平成24年7月6日(2012.7.6)
【手続補正１】
【補正対象書類名】実用新案登録請求の範囲
【補正対象項目名】請求項２
【補正方法】変更
【補正の内容】
【請求項２】
前記複数台の清算機は客が通る通路に沿って並設されていることを特徴とする請求項１に記載のレジ清算装置。